(57)【要約】【課題】画像中の様々な被写体に対して、効果的にコントラストを強調し、視認性を向上すること。【解決手段】入力画像信号を受けて階調変換を行ってから画像表示を行う画像表示装置１０は、ユーザＩ／Ｆ１２又は照度センサ１４からの入力により表示モードを切り替える表示モード切替部１６と、上記入力画像信号に対して局所的な階調補正を行う局所的ヒストグラム平滑部１８と、上記表示モード切替部１６によって切り替えられた表示モードに応じたトーンカーブ変換を用いて、上記局所的ヒストグラム平滑部１８によって局所的な階調補正を行った画像に対して階調変換処理を行う第２トーンカーブ変換部２２と、上記第２トーンカーブ変換部２２による階調変換処理後の画像を表示する画像表示部２６と、を備える。【選択図】図１
2009017306.tif 000002
【特許請求の範囲】
【請求項１】
入力画像信号を受けて階調変換を行ってから画像表示を行う画像表示装置であって、
表示モードを切り替える表示モード切替手段と、
上記入力画像信号に対して局所的な階調補正を行う局所的階調補正手段と、
上記表示モード切替手段によって切り替えられた表示モードに応じたトーンカーブ変換を用いて、上記局所的階調補正手段によって局所的な階調補正を行った画像に対して階調変換処理を行う階調変換手段と、
上記階調変換手段による階調変換処理後の画像を表示する表示手段と、
を具備することを特徴とする画像表示装置。
【請求項２】
上記局所的階調補正手段は、画像の局所的な部分毎に上記入力画像信号のヒストグラムを平滑化することを特徴とする請求項１に記載の画像表示装置。
【請求項３】
上記局所的階調補正手段は、画像の局所的な部分毎に上記入力画像信号を所定の階調領域に補正するゲイン補正を行うことを特徴とする請求項１に記載の画像表示装置。
【請求項４】
上記局所的階調補正手段は、上記表示モード切替手段によって切り替えられた表示モードに応じて、上記局所的な階調補正を行うまたは行わないことを切り替えること特徴とする請求項１乃至３の何れかに記載の画像表示装置。
【請求項５】
上記局所的階調補正手段は、
上記表示モード切替手段によって切り替えられる表示モードそれぞれに応じた上記局所的な階調補正を行うためのパラメータを記憶するパラメータ記憶手段を備え、
上記表示モード切替手段によって切り替えられた表示モードに応じて、上記パラメータ記憶手段に記憶されたパラメータを切り替え使用して、上記入力画像信号に対して局所的な階調補正を行うことを特徴とする請求項１乃至３の何れかに記載の画像表示装置。
【請求項６】
上記表示モード切替手段は、ユーザが手動により表示モードを切り替えることが可能な表示モード切替操作手段を有することを特徴とする請求項１乃至５の何れかに記載の画像表示装置。
【請求項７】
上記表示モード切替手段は、ユーザが上記表示モード切替操作手段を操作中であるか非操作中であるかに応じて表示モードを切り替えることを特徴とする請求項６に記載の画像表示装置。
【請求項８】
上記表示モード切替手段は、
画像表示を行う際の周囲外光強度を検出する周囲外光検出手段を備え、
上記周囲外光検出手段により検出された外光の強度に応じて表示モードを切り替えることを特徴とする請求項１乃至５の何れかに記載の画像表示装置。
【請求項９】
上記階調変換手段は、上記外光強度が強い表示モードの際は上記外光強度の弱い表示モードの際に比べコントラストを強調するトーンカーブ特性に変換することを特徴とする請求項８に記載の画像表示装置。
【請求項１０】
上記階調変換手段は、上記入力画像信号における明度成分と色度成分とで各々異なるトーンカーブ特性に変換することを特徴とする請求項１乃至９の何れかに記載の画像表示装置。
【請求項１１】
上記表示モード切替手段によって切り替えられた表示モードに応じて、その切り替えられた表示モードの種別を表すメッセージを、上記階調変換手段による階調変換処理後の画像上に重畳する表示モードメッセージ重畳手段を更に具備し、
上記表示手段は、上記表示モードメッセージ重畳手段によって上記メッセージが重畳された画像を表示することを特徴とする請求項１乃至１０の何れかに記載の画像表示装置。
【請求項１２】
被写体を撮像し、撮像された画像を記録し、さらに画像ビューワにより上記記録された画像の再生もしくは上記撮像された画像のライブ表示を行う撮像装置であって、
被写体を撮像する撮像部と、
上記撮像部により撮像された画像を記録する画像記録部と、
画像ビューワの表示モードを切り替える表示モード切替手段と、
上記撮像部により撮像された画像もしくは上記画像記録部に記録された画像に対して局所的な階調補正を行う局所的階調補正手段と、
上記表示モード切替手段によって切り替えられた表示モードに応じたトーンカーブ変換を用いて、上記局所的階調補正手段によって局所的な階調補正を行った画像に対して階調変換処理を行う階調変換手段と、
上記階調変換手段による階調変換処理後の画像を表示する表示手段と、
を具備することを特徴とする撮像装置。
【請求項１３】
上記局所的階調補正手段は、画像の局所的な部分毎に上記撮像部により撮像された画像もしくは上記画像記録部に記録された画像のヒストグラムを平滑化することを特徴とする請求項１２に記載の撮像装置。
【請求項１４】
上記局所的階調補正手段は、画像の局所的な部分毎に上記撮像部により撮像された画像もしくは上記画像記録部に記録された画像を所定の階調領域に補正するゲイン補正を行うことを特徴とする請求項１２に記載の撮像装置。
【請求項１５】
上記局所的階調補正手段は、上記表示モード切替手段によって切り替えられた表示モードに応じて、上記局所的な階調補正を行うまたは行わないことを切り替えること特徴とする請求項１２乃至１４の何れかに記載の撮像装置。
【請求項１６】
上記局所的階調補正手段は、
上記表示モード切替手段によって切り替えられる表示モードそれぞれに応じた上記局所的な階調補正を行うためのパラメータを記憶するパラメータ記憶手段を備え、
上記表示モード切替手段によって切り替えられた表示モードに応じて、上記パラメータ記憶手段に記憶されたパラメータを切り替え使用して、上記撮像部により撮像された画像もしくは上記画像記録部に記録された画像に対して局所的な階調補正を行うことを特徴とする請求項１２乃至１４の何れかに記載の撮像装置。
【請求項１７】
上記表示モード切替手段は、ユーザが手動により表示モードを切り替えることが可能な表示モード切替操作手段を有することを特徴とする請求項１２乃至１６の何れかに記載の撮像装置。
【請求項１８】
上記表示モード切替手段は、ユーザが上記表示モード切替操作手段を操作中であるか非操作中であるかに応じて表示モードを切り替えることを特徴とする請求項１７に記載の撮像装置。
【請求項１９】
上記表示モード切替手段は、
画像表示を行う際の周囲外光強度を検出する周囲外光検出手段を備え、
上記周囲外光検出手段により検出された外光の強度に応じて表示モードを切り替えることを特徴とする請求項１２乃至１６の何れかに記載の撮像装置。
【請求項２０】
上記階調変換手段は、上記外光強度が強い表示モードの際は上記外光強度の弱い表示モードの際に比べコントラストを強調するトーンカーブ特性に変換することを特徴とする請求項１９に記載の撮像装置。
【請求項２１】
上記階調変換手段は、上記撮像部により撮像された画像もしくは上記画像記録部に記録された画像における明度成分と色度成分とで各々異なるトーンカーブ特性に変換することを特徴とする請求項１２乃至２０の何れかに記載の撮像装置。
【請求項２２】
上記表示モード切替手段によって切り替えられた表示モードに応じて、その切り替えられた表示モードの種別を表すメッセージを、上記階調変換手段による階調変換処理後の画像上に重畳する表示モードメッセージ重畳手段を更に具備し、
上記表示手段は、上記表示モードメッセージ重畳手段によって上記メッセージが重畳された画像を表示することを特徴とする請求項１２乃至２１の何れかに記載の撮像装置。
【発明の詳細な説明】
【技術分野】
【０００１】
本発明は、屋外等の周囲外光が強い環境において使用され、入力された画像信号に対して階調変換を行ってから画像表示を行う画像表示装置及びそれを用いた撮像装置に関する。
【背景技術】
【０００２】
デジタルカメラ等の撮像装置を屋外等明るい場所で使用する場合、屋外の強い外光により液晶モニタ等の画像ビューワのコントラストが著しく低減し、視認性が悪くなるといった問題があった。
【０００３】
これに対し、特許文献１では、周囲の明るさに応じて液晶モニタのバックライト輝度を調整し見やすくする方法がとられているが、晴天時など強烈な外光の場合には、これに対抗するまでバックライト輝度を上げると消費電力が著しく高くなるという問題が生じる。
【０００４】
このため、特許文献２乃至特許文献６においては、周囲の明るさが明るい場合には、画像信号の階調特性を変えて画像のコントラストを高めることにより、液晶モニタの視認性を向上する方法がとられている。
【特許文献１】特開平６−１４８６００号公報
【特許文献２】特開平４−２７０５７１号公報
【特許文献３】特開平６−８３２８７号公報
【特許文献４】特開平６−３０３５５１号公報
【特許文献５】特開２００３−１８６４５５号公報
【特許文献６】特開２００６―３５０３１８公報
【発明の開示】
【発明が解決しようとする課題】
【０００５】
しかしながら、画像信号の階調特性を変えてコントラストを高めた場合、入力される画像信号によっては、ある階調領域のコントラストを強調すると他の階調領域の画像信号がつぶれてしまい、余計に視認性が悪くなる場合がある。例えば、図２（Ｂ）に示すようなトーンカーブ変換により中間調のコントラストを上げた場合には、暗く撮影された低階調領域の信号しか持たない被写体は、階調変換により黒くつぶれてしまい見えなくなる。
【０００６】
また、上記特許文献２及び特許文献４では、周囲光の明るさに加え入力される画像信号輝度に応じてコントラストを調整する方法も提案されているが、これでも１枚の画像中に様々な被写体が混在した場合には、画像中のある被写体に対しては信号つぶれが発生してしまい視認性が悪くなる。
【０００７】
このため、画像中の様々な被写体に対して、効果的にコントラストを強調し、視認性を向上する方法が望まれる。
【０００８】
本発明は、上記の点に鑑みてなされたもので、画像中の様々な被写体に対して、効果的にコントラストを強調し、視認性を向上することの可能な画像表示装置及びそれを用いた撮像装置を提供することを目的とする。
【課題を解決するための手段】
【０００９】
本発明の画像表示装置の一態様は、入力画像信号を受けて階調変換を行ってから画像表示を行う画像表示装置であって、
表示モードを切り替える表示モード切替手段と、
上記入力画像信号に対して局所的な階調補正を行う局所的階調補正手段と、
上記表示モード切替手段によって切り替えられた表示モードに応じたトーンカーブ変換を用いて、上記局所的階調補正手段によって局所的な階調補正を行った画像に対して階調変換処理を行う階調変換手段と、
上記階調変換手段による階調変換処理後の画像を表示する表示手段と、
を具備することを特徴とする。
【００１０】
また、本発明の撮像装置の一態様は、被写体を撮像し、撮像された画像を記録し、さらに画像ビューワにより上記記録された画像の再生もしくは上記撮像された画像のライブ表示を行う撮像装置であって、
被写体を撮像する撮像部と、
上記撮像部により撮像された画像を記録する画像記録部と、
画像ビューワの表示モードを切り替える表示モード切替手段と、
上記撮像部により撮像された画像もしくは上記画像記録部に記録された画像に対して局所的な階調補正を行う局所的階調補正手段と、
上記表示モード切替手段によって切り替えられた表示モードに応じたトーンカーブ変換を用いて、上記局所的階調補正手段によって局所的な階調補正を行った画像に対して階調変換処理を行う階調変換手段と、
上記階調変換手段による階調変換処理後の画像を表示する表示手段と、
を具備することを特徴とする。
【発明の効果】
【００１１】
本発明によれば、画像中の様々な被写体に対して、効果的にコントラストを強調し、視認性を向上することの可能な画像表示装置及びそれを用いた撮像装置を提供することができる。
【発明を実施するための最良の形態】
【００１２】
以下、本発明を実施するための最良の形態を図面を参照して説明する。
【００１３】
［第１実施形態］
図１は、本発明の第１実施形態に係る画像表示装置の全体構成を示す図である。本実施形態に係る画像表示装置１０は、ユーザＩ／Ｆ１２、照度センサ１４、表示モード切替部１６、局所的ヒストグラム平滑部１８、第１トーンカーブ変換部２０、第２トーンカーブ変換部２２、表示モードメッセージ重畳部２４、及び画像表示部２６から構成される。
【００１４】
ここで、表示モード切替部１６は、ユーザＩ／Ｆ１２又は照度センサ１４により入力された周辺環境の状態（外光が強いか弱いか）に基づき、入力された画像信号を、外光が弱い場合には第１トーンカーブ変換部２０を介して画像表示部２６へ出力し、外光が強い場合には後段の局所的ヒストグラム平滑部１８及び第２トーンカーブ変換部２２を介して画像表示部２６へ出力する。
【００１５】
第１トーンカーブ変換部２０は、図２（Ａ）に示すように、入力に対してリニアな出力特性によるトーンカーブ変換を行うものである。従って、外光が弱い表示モードの場合には、特に入出力間で階調特性に変化を与えずそのまま出力されることになる。
【００１６】
局所的ヒストグラム平滑部１８は、外光が強い表示モードの場合に、画像の局所毎にヒストグラムの平滑化を行うためのものであり、具体的な方法としては公知の技術が適用できる。
【００１７】
例えば、ある画素位置における平滑前の画素値をＩＩＮ、平滑後の画素値をＩＯＵＴとして、下記（１）式を使用してヒストグラムを平滑化する。
【００１８】
【数１】
2009017306.tif 000003
【００１９】
この（１）式において、Ｎは画像階調数（８ビットの場合Ｎ＝２５５）、ｋ及びｌは平滑化されるべきヒストグラムを有する領域（局所領域）における画素位置、Ｍは上記ｋ，ｌの画素総数、さらに、δ（・）、θ（・）は下記（２）式で表されるものであり、ｋ，ｌの画素領域を小さくすればするほど、より局所的なヒストグラム平滑化が行われる。
【００２０】
【数２】
2009017306.tif 000004
【００２１】
また、上記（１）式における平均演算１／Ｍ×Σ・・・は、上記ｋ，ｌの画素領域の大きさに相当する遮断周波数Ωを持つ低域周波数通過フィルタＬＰＦΩと見做すことができ、以下の（３）式のように表すこともできる。
【００２２】
【数３】
2009017306.tif 000005
【００２３】
また、完全にヒストグラムを平滑化せず、ある程度元のヒストグラム形状を残すように、平滑化度合いを表すパラメータαを追加して下記（４）式のような方法で変換しても良い。
【００２４】
【数４】
2009017306.tif 000006
【００２５】
また、動画像表示やライブビュー表示等の高速な処理が求められる場合には、例えば特表２００４−５３０３６８号公報に開示されるような方法を適用するのが望ましい。さらに高速な処理が必要な場合には、下記（５）式のように、局所的にある階調ＩＯ付近の信号に近づけるようなゲイン補正を行う簡単な処理にしても良い。
【００２６】
【数５】
2009017306.tif 000007
【００２７】
何れにしても、上述したような局所的な階調補正を行うことにより、画像の被写体毎に低階調から高階調まで、階調分布を均一になるよう分散させることが可能となる。
【００２８】
第２トーンカーブ変換部２２は、外光が強い表示モードの場合に、上記局所的ヒストグラム平滑部１８により階調補正された画像に対し、図２（Ｂ）に示すように弱外光時のトーンカーブ変換に比べ中間調のコントラストを強調するようなＳ字形状のトーンカーブ変換を全画素一律に行うものである。このようなトーンカーブ変換を行う具体的な方法としては、図２（Ａ）に示す入力−出力間の関係を１次元のルックアップテーブル（以下、１Ｄ−ＬＵＴと記す）として記憶し、この１Ｄ−ＬＵＴに基づいて入出力変換を行っても良いし、また下記（６）式に示すシグモイド関数に従って画素値を変換しても良い。
【００２９】
【数６】
2009017306.tif 000008
【００３０】
また、下記（７）式のように、ある区間毎でのγ曲線式の組み合わせにより変換を行っても良い。
【００３１】
【数７】
2009017306.tif 000009
【００３２】
上記（６）式及び（７）式において、ＩＣ及びＩｋはＳ字トーンカーブ曲線における変曲点の位置を示すパラメータであり、μ及びγ１，γ２はＳ字曲線の曲率を表す固定パラメータである。
【００３３】
また、上記第２トーンカーブ変換部２２におけるトーンカーブの形状は、Ｓ字の形状だけでなく、例えば図２（Ｃ）に示すように、低階調領域及び高階調領域の出力をクリッピングしたトーンカーブ形状でも良いし、図２（Ｄ）に示すような階段状のトーンカーブ形状により信号を多値化するものでも良い。何れの場合においても、入力画像値を低階調領域、中間調領域、高階調領域に分けた場合、低階調領域及び高階調領域の信号に対する出力階調を圧縮し、中間調領域の信号に対する出力階調を伸張するようなトーンカーブを用いることで、効果的にコントラスト強調が行え、屋外の強外光時において視認性を良くすることができる。
【００３４】
図３（Ａ）に示すように、本実施形態に係る画像表示装置１０を用いた本発明の第１実施形態に係る撮像装置としてのデジタルカメラ２８においては、通常、図示しない光学レンズが配された面と反対側の面に、画像表示部２６の画像表示面２６Ａが配置される。照度センサ１４は、この画像表示面２６Ａと同じ面に設置され、画像表示面２６Ａに入射される外光のみの強度を取得する。
【００３５】
図３（Ｂ）は、この照度センサ１４の構成を示す断面図で、該照度センサ１４は、フォトダイオード１４Ａの前面に拡散板１４Ｂを配して構成されるものである。また、この照度センサ１４の表面に遮光部１４Ｃを設けることにより、画像表示面２６Ａに対してほぼ垂直な入射角で入射される外光のみを検出するようにしても良い。この場合には、画像表示面２６Ａにおける表面反射（鏡面反射）により生じる写り込みの成分が正確に検出できるため、写り込みの状態によって適正な視認性を確保することができる。
【００３６】
ユーザＩ／Ｆ１２は、図３（Ａ）に示されるように、画像表示面２６Ａ近くに配した表示モード選択ボタン１２Ａとして構成され、表示モード切替部１６は、この表示モード選択ボタン１２Ａの操作という簡単操作で表示モードの切り替えを行うことができる。
【００３７】
また、上記画像表示装置１０の構成によれば、強外光時における表示モードではコントラストを極端に強調するため、例えばユーザの操作ミスにより弱外光時であるにも関わらず強外光時における表示モードで画像表示を行った場合、コントラストが過度に高い画像となり見栄えが悪くなる。このような操作ミスを防ぐために、表示モード選択ボタン１２Ａを押しっぱなしの状態だけを強外光時の表示モードとし、表示モード選択ボタン１２Ａを離すと弱外光時の表示モードに戻るような構成にしても良い。また、ユーザＩ／Ｆ１２と照度センサ１４とを連携させ、ユーザＩ／Ｆ１２により強外光の表示モードにした状態においても、照度センサ１４により照度が著しく低下した場合には自動的に弱外光の表示モードに戻すような構成にしても良い。
【００３８】
表示モードメッセージ重畳部２４は、上記第２トーンカーブ変換部２２からの入力された画像信号に対して、表示モードに応じたメッセージを重畳して画像表示部２６へ出力する。図４は、この表示モードメッセージ３０を重畳した画像の例を示す図である。例えば、図４に示されるように、画像の隅に「強外光モード」等の表示モードメッセージ３０を重畳する。なお、表示モードメッセージ３０は、テキストであっても、目印であっても構わない。また、強外光モード時にのみこの表示モードメッセージ３０を表示して、弱外光時には表示モードメッセージ３０を表示しなくても良い。強外光時にのみ表示モードメッセージ３０を表示することにより、ユーザは強外光時の表示モードであることを認識し易くなり、先に述べたように操作ミスによる弱外光時での過度のコントラスト強調による見栄えが悪くなる現象を避けることができる。
【００３９】
次に、図５（Ａ）乃至（Ｄ）を参照して、本実施形態の具体的な作用効果について説明する。
【００４０】
図５（Ａ）は、逆光の状態で撮影された入力画像の例であり、図５（Ｂ）は、この画像中の被写体領域ａ及びｂに対するヒストグラム分布を表した図である。ここで、被写体領域ａにおける被写体は、逆光のため比較的暗く撮影されたので、画像信号が主に低階調の領域に集まっている。また、被写体領域ｂにおける被写体は、遠景のため逆光の影響も少なく、低階調から高階調までほぼ均一に分散された信号となっている。
【００４１】
図５（Ｃ）は、上記図５（Ｂ）の信号に対して図２（Ｂ）に示すようなトーンカーブ変換により中間調のコントラスト強調した場合のヒストグラムを示している。このような入力画像に対して中間調のコントラスト強調した場合、被写体領域ｂの被写体は効果的にコントラスト強調されるが、被写体領域ａの被写体は暗い信号に変換され、黒くつぶれてしまう。
【００４２】
一方、図５（Ｄ）は、上記図５（Ｂ）の信号に対して局所的なヒストグラムの平滑化を行った場合のヒストグラムを示しており、局所的なヒストグラムの平滑化を行うことにより、被写体領域ａ及びｂともに低階調から高階調までほぼ均一に分散された信号となる。本実施形態の画像表示装置１０では、局所的ヒストグラム平滑部１８により、このような局所的なヒストグラムの平滑化を行った後に、第２トーンカーブ変換部２２にて、図２（Ｂ）に示すようなトーンカーブ変換により中間調のコントラストを強調する。これにより、図５（Ｅ）に示すように、暗く撮影された被写体も黒くつぶれることなく、良好にコントラスト強調がなされ、屋外のような強い外光下にて視認性を上げることが可能となる。
【００４３】
このように、強外光時、入力画像信号に対し、まず局所的なヒストグラムの平滑化処理を行い、入力画像信号の階調分布を局所毎に平滑化した後に、コントラスト強調のためのトーンカーブ補正処理を行うことにより、あらゆる撮影条件及び被写体の入力映像信号に対して効果的にコントラスト強調を行い、強い外光下においても画像ビューワの視認性を向上することが可能になる。
【００４４】
以上、本実施形態によれば、屋外等外光の強い状況下で画像ビューワを観察する際、ユーザＩ／Ｆ１２による手動または照度センサ１４により自動的に表示モードを強外光時のモードに設定し、画像のコントラストを被写体毎に最適に強調して、視認性を上げることができる。
【００４５】
なお、上述した本実施形態では、外光が弱い表示モードの際、第１トーンカーブ変換部２０においてリニアな特性によるトーンカーブ変換を行うのみとしたが、例えば画像表示部２６おける表示素子特性を補正するようなトーンカーブ変換を行っても良い。但しその場合、強外光時の表示モードの際の第２トーンカーブ変換部２２においては、図２（Ｂ）に示すようなコントラスト強調のためのトーンカーブ変換と上記表示素子特性を補正するトーンカーブ変換とを合成したトーンカーブ変換を行うことになる。
【００４６】
［第２実施形態］
次に、本発明の第２実施形態を説明する。
【００４７】
本第２実施形態では、入力画像信号としてカラー画像信号が入力された際、カラー画像信号をＹＵＶ等の明るさ成分と色差成分とに分離してトーンカーブ変換を行うものである。
【００４８】
図６は、本第２実施形態に係る画像表示装置３２の構成を示す図である。本実施形態に係る画像表示装置３２は、図１に示した第１実施形態における画像表示装置１０の全体構成における第２トーンカーブ変換部２２の代わりに、第１色空間変換部３４、Ｙトーンカーブ変換部３６Ｙ、Ｕトーンカーブ変換部３６Ｕ、Ｖトーンカーブ変換部３６Ｖ、及び第２色空間変換部３８を備える。
【００４９】
即ち、局所的ヒストグラム平滑部１８において入力画像信号ＲＧＢに対して局所的なヒストグラムの平滑化を行ったカラー画像信号Ｒ’Ｇ’Ｂ’を、第１色空間変換部３４においてＹＵＶの色差信号に変換する。次に、Ｙトーンカーブ変換部３６Ｙ、Ｕトーンカーブ変換部３６Ｕ、Ｖトーンカーブ変換部３６Ｖにおいて、それら変換された色差信号ＹＵＶに対して各々独立にコントラスト強調のためのトーンカーブ変換を行う。そして、各々トーンカーブ変換された色差信号Ｙ’Ｕ’Ｖ’を、後段の第２色空間変換部３８において元の色空間の信号Ｒ”Ｇ”Ｂ”に戻して、画像表示部２６へ出力する。
【００５０】
図７（Ａ）及び図７（Ｂ）は、各々Ｙ信号及びＵ（またはＶ）信号に対するトーンカーブ変換の例を示したものである。これらの図においては、Ｕ（またはＶ）信号に対する中間調のコントラスト強調のレベルをＹ信号に対する中間調のコントラスト強調のレベルに対して緩く設定することにより、コントラスト強調による彩度強調を抑える効果を与えている。
【００５１】
このように色差信号ＹＵＶに対して各々独立にトーンカーブ形状を調整可能とすることにより、コントラスト強調後の画像の彩度を調整し、屋外における表示色の見栄えを良くすることが可能となる。
【００５２】
なお、上記では、色差信号としてＹＵＶを用いているが、これに限らず、明るさと色差を独立に表す信号空間であれば他の空間でも良い。例えば、ＹＣｂＣｒ、ＹＰｂＰｒでも良いし、ＨＶＣ（色相、明度、彩度）、Ｌ＊ａ＊ｂ＊であっても良い。ＹＵＶ、ＹＣｂＣｒ、ＹＰｂＰｒであれば、色空間変換の処理が比較的簡便かつ高速にできるし、ＨＶＣ（色相、明度、彩度）、Ｌ＊ａ＊ｂ＊であれば、処理は複雑であるが、比較的人間の目の属性にあった色調整を行うことができる。
【００５３】
［第３実施形態］
次に、本発明の第３実施形態について説明する。
【００５４】
図８は、本第３実施形態に係る画像表示装置４０の構成を示す図である。本実施形態に係る画像表示装置４０は、図１に示した第１実施形態における画像表示装置１０の全体構成における表示モード切替部１６の代わりに、表示モード選択部４２を備え、また、第１及び第２トーンカーブ変換部２０及び２２の代わりに、平滑化パラメータ選択部４４、パラメータ記憶部４６、トーンカーブテーブル選択部４８、トーンカーブテーブル記憶部５０、及びトーンカーブ変換部５２を備えるものである。
【００５５】
表示モード選択部４２は、ユーザＩ／Ｆ１２及び照度センサ１４からの入力を受け、幾つかの表示モードのうち一つを選択する。ここで表示モードは、図９（Ａ）に示すように、撮影環境及び被写体の条件により幾つか分類される。選択の方法は、撮影環境については、照度センサ１４により検出された周囲光の外光強度に応じて選択しても良いし、被写体の条件については、ユーザＩ／Ｆ１２により被写体シーンを選んでも良い。
【００５６】
平滑化パラメータ選択部４４は、上記表示モード選択部４２において選択された表示モードに基づき、局所的ヒストグラム平滑部１８において実行される平滑化処理のパラメータを、予めパラメータ記憶部４６に記憶されている幾つかの平滑化パラメータから一つ選択し、局所的ヒストグラム平滑部１８へ出力する。
【００５７】
トーンカーブテーブル選択部４８は、上記表示モード選択部４２において選択された表示モードに基づき、トーンカーブ変換部５２において実行されるトーンカーブ変換の１Ｄ−ＬＵＴを、予めトーンカーブテーブル記憶部５０に記憶されている幾つかのＬＵＴから一つ選択し、トーンカーブ変換部５２へ出力する。
【００５８】
局所的ヒストグラム平滑部１８及びトーンカーブ変換部５２は、各々上記平滑化パラメータ選択部４４及びトーンカーブテーブル選択部４８によって選択された平滑化パラメータ及びトーンカーブテーブルを用いて、第１実施形態で説明した方法により処理を行う。
【００５９】
その他のユーザＩ／Ｆ１２、照度センサ１４、表示モードメッセージ重畳部２４、及び画像表示部２６は、上述した第１の実施形態と同様であり、よってそれらの詳細の説明は省略する。
【００６０】
図９（Ａ）は、各表示モードにおける平滑化パラメータ及びトーンカーブテーブルの例を示す図である。同図に示す平滑化パラメータにおける平滑化度合いは、上述した（４）式におけるαの値に相当し、この値が１であれば最大に平滑化を行い、０であれば全く平滑化を行わないことになる。また、局所度合いについては同じく（４）式におけるΩの値に相当し、この値が大きいほどより狭い局所範囲でヒストグラム平滑化が行われ、０であれば画像全体でヒストグラム平滑化が行われることになる。
【００６１】
また、図９（Ａ）に示すトーンカーブＮｏ．のＡ〜Ｃは、各々図９（Ｂ）に示すＡ〜Ｃのトーンカーブ形状のテーブルを参照することを示している。
【００６２】
図９（Ａ）に示すように、被写体シーンに関してマクロ、ポートレートのアップ画像のように画像中に大きく被写体が写っている場合に比べ、風景画像のような被写体がある程度小さく写っている場合には局所度合いを大きくすることにより、より被写体のコントラストや輪郭を強調することができる。
【００６３】
また、撮影環境に関して外光が全くない夜景シーンの場合には、平滑化処理、トーンカーブ処理を行わず、さらに室内→屋外晴天順光・曇り→屋外晴天逆光の順に外光強度が大きくなるにしたがって平滑化度合い及びトーンカーブの傾きを大きくすることによって各々の撮影環境に適した表示画像の見えを実現することができる。
【００６４】
このように、本第３実施形態によれば、外部環境の状態をより細かく設定し、各環境に適したパラメータを選択し処理を行うことで、各環境に最適な視認性を得ることが可能となる。
【００６５】
図１０は、本第３実施形態に係る画像表示装置４０を画像ビューワとして用いた撮像装置としてのデジタルカメラ５４の構成を示す図である。このデジタルカメラ５４は、第３実施形態に係る画像表示装置４０の構成に加え、光学レンズ５６、撮像素子５８、撮像処理部６０、画像記録部６２、及びライブ／再生切替部６４を備えるものである。
【００６６】
ここで、光学レンズ５６は、被写体像を後段の撮像素子５８面に結像するためのレンズである。
【００６７】
撮像素子５８は、上記撮像素子５８面に結像された被写体像を光電変換して電荷信号を出力するものであり、ＣＣＤまたはＣＭＯＳセンサ等が用いられる。
【００６８】
撮像処理部６０は、上記撮像素子５８により得られた電荷信号を元に信号処理を行い、カラー画像信号を出力するものである。なお、上記信号処理には、ベイヤ処理、γ補正処理、カラーマトリクス補正処理等の処理が含まれる。また、撮像処理部６０から出力するカラー画像信号は、通常は被写体のライブ画像表示のため、後段のライブ／再生切替部６４へ出力されるが、ユーザＩ／Ｆ１２の操作によりシャッタを切った場合には、画像記録部６２へ出力される。
【００６９】
画像記録部６２は、上記撮像処理部６０により処理されたカラー画像信号を記録・保存するためのものである。なお、上記画像記録部６２には、入力されたカラー画像信号に対し、ノイズ低減処理、階調補正処理、エッジ強調処理、色補正処理等、記録・保存する画像を高画質化するための処理も含まれる。
【００７０】
ライブ／再生切替部６４は、ユーザＩ／Ｆ１２の操作に応じて撮像処理部６０から出力された被写体のライブ画像もしくは画像記録部６２に一旦記録された再生画像のどちらかを選択し、後段の局所的ヒストグラム平滑部１８へ出力する。
【００７１】
以上のような構成により、屋外等外光の強い状況でデジタルカメラ５４により撮像を行う際、画像ビューワによる被写体のライブ画像の視認性を向上し、被写体のフレーミングをし易くすることができる。さらに、一旦記録された画像の再生画像に対しても同様な処理を行うことにより、屋外で撮像を行った直後、その場で撮像された被写体画像の再確認がし易くなり、撮り直しの判断がし易くなる。
【００７２】
以上、第１乃至第３実施形態で説明したように、本発明によれば、屋外等外光が強い環境下において画像を観察する際、消費電力を大きくすることなく画像のコントラストを効果的に上げ視認性を向上することが可能となる。
【００７３】
なお、特に説明はしなかったが、第１又は第２実施形態においても、第３実施形態で説明したような光学レンズ５６、撮像素子５８、撮像処理部６０、画像記録部６２、及びライブ／再生切替部６４と画像表示装置１０又は画像表示装置３２とを組み合わせることで撮像装置としてのデジタルカメラが構成されることは勿論である。
【００７４】
以上、第１乃至第３実施形態に基づいて本発明を説明したが、本発明は上述した実施形態に限定されるものではなく、本発明の要旨の範囲内で種々の変形や応用が可能なことは勿論である。
【００７５】
例えば、画像表示装置の適用例としてデジタルカメラを例に説明したが、様々な条件の被写体画像（被写体映像）が入ってきたときに階調つぶれを生じさせず効果的に視認性を向上することができるので、デジタルカメラに限らず、カメラ付携帯電話機の画像ビューワ、携帯用ＤＶＤプレイヤに代表されるモバイル型ＴＶ等に本発明を適用すれば大きな効果が得られる。
【００７６】
また、ホームシアタ用プロジェクタにおいて、使用環境が暗室でなくスクリーンのコントラストが著しく低下する場合においても、本発明を適用することにより効果的に映像のコントラストを上げ見易くすることができる。
【００７７】
さらには、近年のＣＧ技術の進歩によりゲーム機等で表示されるＣＧ画像も非常に細かい階調を表現したものも多く、このような画像を表示するポータブルゲーム機等においても効果を発揮することができる。
【００７８】
（付記）
前記の具体的実施形態から、以下のような構成の発明を抽出することができる。
【００７９】
（１）  入力画像信号を受けて階調変換を行ってから画像表示を行う画像表示装置であって、
表示モードを切り替える表示モード切替手段と、
上記入力画像信号に対して局所的な階調補正を行う局所的階調補正手段と、
上記表示モード切替手段によって切り替えられた表示モードに応じたトーンカーブ変換を用いて、上記局所的階調補正手段によって局所的な階調補正を行った画像に対して階調変換処理を行う階調変換手段と、
上記階調変換手段による階調変換処理後の画像を表示する表示手段と、
を具備することを特徴とする画像表示装置。
【００８０】
（対応する実施形態）
この（１）に記載の画像表示装置に関する実施形態は、第１乃至第３実施形態が対応する。それらの実施形態において、画像表示装置１０、３２、４０が上記画像表示装置に、ユーザＩ／Ｆ１２、照度センサ１４、表示モード切替部１６、表示モード選択部４２が上記表示モード切替手段に、局所的ヒストグラム平滑部１８、パラメータ記憶部４６、平滑化パラメータ選択部４４が上記局所的階調補正手段に、第２トーンカーブ変換部２２、第１色空間変換部３４、Ｙトーンカーブ変換部３６Ｙ、Ｕトーンカーブ変換部３６Ｕ、Ｖトーンカーブ変換部３６Ｖ、第２色空間変換部３８、トーンカーブテーブル選択部４８、トーンカーブテーブル記憶部５０、トーンカーブ変換部５２が上記階調変換手段に、画像表示部２６が上記表示手段に、それぞれ対応する。
【００８１】
（作用効果）
この（１）に記載の画像表示装置によれば、画像中の様々な被写体に対して、効果的にコントラストを強調し、視認性を向上することが可能となる。
【００８２】
（２）  上記局所的階調補正手段は、画像の局所的な部分毎に上記入力画像信号のヒストグラムを平滑化することを特徴とする（１）に記載の画像表示装置。
【００８３】
（対応する実施形態）
この（２）に記載の画像表示装置に関する実施形態は、第１乃至第３実施形態が対応する。
【００８４】
（作用効果）
この（２）に記載の画像表示装置によれば、画像中の被写体毎に低階調から高階調まで、階調分布を均一になるよう分散させることが可能となる。
【００８５】
（３）  上記局所的階調補正手段は、画像の局所的な部分毎に上記入力画像信号を所定の階調領域に補正するゲイン補正を行うことを特徴とする（１）に記載の画像表示装置。
【００８６】
（対応する実施形態）
この（３）に記載の画像表示装置に関する実施形態は、第１乃至第３実施形態が対応する。
【００８７】
（作用効果）
この（３）に記載の画像表示装置によれば、処理が簡単なので、高速な処理が可能となる。
【００８８】
（４）  上記局所的階調補正手段は、上記表示モード切替手段によって切り替えられた表示モードに応じて、上記局所的な階調補正を行うまたは行わないことを切り替えること特徴とする（１）乃至（３）の何れかに記載の画像表示装置。
【００８９】
（対応する実施形態）
この（４）に記載の画像表示装置に関する実施形態は、第３実施形態が対応する。
【００９０】
（作用効果）
この（４）に記載の画像表示装置によれば、外光が全くない夜景シーンのような表示モードのように、局所的な階調補正を行う必要が無い場合には、それを行わないように切り替えることができる。
【００９１】
（５）  上記局所的階調補正手段は、
上記表示モード切替手段によって切り替えられる表示モードそれぞれに応じた上記局所的な階調補正を行うためのパラメータを記憶するパラメータ記憶手段を備え、
上記表示モード切替手段によって切り替えられた表示モードに応じて、上記パラメータ記憶手段に記憶されたパラメータを切り替え使用して、上記入力画像信号に対して局所的な階調補正を行うことを特徴とする（１）乃至（３）の何れかに記載の画像表示装置。
【００９２】
（対応する実施形態）
この（５）に記載の画像表示装置に関する実施形態は、第３実施形態が対応する。その実施形態において、パラメータ記憶部４６が上記パラメータ記憶手段に対応する。
【００９３】
（作用効果）
この（５）に記載の画像表示装置によれば、表示モードに応じて複数の階調補正を行うためのパラメータを切り替え称することで、例えば、被写体シーンに関してマクロ、ポートレートのアップ画像のように画像中に大きく被写体が写っている場合に比べ、風景画像のような被写体がある程度小さく写っている場合には局所度合いを大きくすることにより、より被写体のコントラストや輪郭を強調することができる。
【００９４】
（６）  上記表示モード切替手段は、ユーザが手動により表示モードを切り替えることが可能な表示モード切替操作手段を有することを特徴とする（１）乃至（５）の何れかに記載の画像表示装置。
【００９５】
（対応する実施形態）
この（６）に記載の画像表示装置に関する実施形態は、第１乃至第３実施形態が対応する。それらの実施形態において、ユーザＩ／Ｆ１２が上記表示モード切替操作手段に対応する。
【００９６】
（作用効果）
この（６）に記載の画像表示装置によれば、ユーザが任意に表示モードを設定でき、ユーザの意図を反映することができる。
【００９７】
（７）  上記表示モード切替手段は、ユーザが上記表示モード切替操作手段を操作中であるか非操作中であるかに応じて表示モードを切り替えることを特徴とする（６）に記載の画像表示装置。
【００９８】
（対応する実施形態）
この（７）に記載の画像表示装置に関する実施形態は、第１乃至第３実施形態が対応する。
【００９９】
（作用効果）
この（７）に記載の画像表示装置によれば、ユーザの操作ミスを低減することができる。
【０１００】
（８）  上記表示モード切替手段は、
画像表示を行う際の周囲外光強度を検出する周囲外光検出手段を備え、
上記周囲外光検出手段により検出された外光の強度に応じて表示モードを切り替えることを特徴とする（１）乃至（５）の何れかに記載の画像表示装置。
【０１０１】
（対応する実施形態）
この（８）に記載の画像表示装置に関する実施形態は、第１乃至第３実施形態が対応する。それらの実施形態において、照度センサ１４が上記周囲外光検出手段に対応する。
【０１０２】
（作用効果）
この（８）に記載の画像表示装置によれば、自動的に表示モードを切り替えることができる。
【０１０３】
（９）  上記階調変換手段は、上記外光強度が強い表示モードの際は上記外光強度の弱い表示モードの際に比べコントラストを強調するトーンカーブ特性に変換することを特徴とする（８）に記載の画像表示装置。
【０１０４】
（対応する実施形態）
この（９）に記載の画像表示装置に関する実施形態は、第１乃至第３実施形態が対応する。
【０１０５】
（作用効果）
この（９）に記載の画像表示装置によれば、強外光時はコントラストを強調する階調変換を行うことで、強い外光下においても画像ビューワの視認性を向上することが可能になる。
【０１０６】
（１０）  上記階調変換手段は、上記入力画像信号における明度成分と色度成分とで各々異なるトーンカーブ特性に変換することを特徴とする（１）乃至（９）の何れかに記載の画像表示装置。
【０１０７】
（対応する実施形態）
この（１０）に記載の画像表示装置に関する実施形態は、第２実施形態が対応する。
【０１０８】
（作用効果）
この（１０）に記載の画像表示装置によれば、コントラスト強調後の画像の彩度を調整し、屋外における表示色の見栄えを良くすることが可能となる。
【０１０９】
（１１）  上記表示モード切替手段によって切り替えられた表示モードに応じて、その切り替えられた表示モードの種別を表すメッセージを、上記階調変換手段による階調変換処理後の画像上に重畳する表示モードメッセージ重畳手段を更に具備し、
上記表示手段は、上記表示モードメッセージ重畳手段によって上記メッセージが重畳された画像を表示することを特徴とする（１）乃至（１０）の何れかに記載の画像表示装置。
【０１１０】
（対応する実施形態）
この（１１）に記載の画像表示装置に関する実施形態は、第１乃至第３実施形態が対応する。それらの実施形態において、表示モードメッセージ重畳部２４が上記表示モードメッセージ重畳手段に対応する。
【０１１１】
（作用効果）
この（１１）に記載の画像表示装置によれば、ユーザに表示モードの種別を告知することで、操作ミスによる弱外光時での過度のコントラスト強調による見栄えが悪くなる現象を避けることができる。
【０１１２】
（１２）  被写体を撮像し、撮像された画像を記録し、さらに画像ビューワにより上記記録された画像の再生もしくは上記撮像された画像のライブ表示を行う撮像装置であって、
被写体を撮像する撮像部と、
上記撮像部により撮像された画像を記録する画像記録部と、
画像ビューワの表示モードを切り替える表示モード切替手段と、
上記撮像部により撮像された画像もしくは上記画像記録部に記録された画像に対して局所的な階調補正を行う局所的階調補正手段と、
上記表示モード切替手段によって切り替えられた表示モードに応じたトーンカーブ変換を用いて、上記局所的階調補正手段によって局所的な階調補正を行った画像に対して階調変換処理を行う階調変換手段と、
上記階調変換手段による階調変換処理後の画像を表示する表示手段と、
を具備することを特徴とする撮像装置。
【０１１３】
（対応する実施形態）
この（１２）に記載の撮像装置に関する実施形態は、第１乃至第３実施形態が対応する。それらの実施形態において、デジタルカメラ２８、５４が上記撮像装置に、光学レンズ５６、撮像素子５８、撮像処理部６０が上記撮像部に、画像記録部６２が上記画像記録部に、ユーザＩ／Ｆ１２、照度センサ１４、表示モード切替部１６、表示モード選択部４２、ライブ／再生切替部６４が上記表示モード切替手段に、局所的ヒストグラム平滑部１８、パラメータ記憶部４６、平滑化パラメータ選択部４４が上記局所的階調補正手段に、第２トーンカーブ変換部２２、第１色空間変換部３４、Ｙトーンカーブ変換部３６Ｙ、Ｕトーンカーブ変換部３６Ｕ、Ｖトーンカーブ変換部３６Ｖ、第２色空間変換部３８、トーンカーブテーブル選択部４８、トーンカーブテーブル記憶部５０、トーンカーブ変換部５２が上記階調変換手段に、画像表示部２６が上記表示手段に、それぞれ対応する。
【０１１４】
（作用効果）
この（１２）に記載の撮像装置によれば、画像中の様々な被写体に対して、効果的にコントラストを強調し、視認性を向上することが可能となる。そして、画像ビューワによる被写体のライブ画像の視認性が向上することで、被写体のフレーミングをし易くすることができる。
【０１１５】
（１３）  上記局所的階調補正手段は、画像の局所的な部分毎に上記撮像部により撮像された画像もしくは上記画像記録部に記録された画像のヒストグラムを平滑化することを特徴とする（１２）に記載の撮像装置。
【０１１６】
（対応する実施形態）
この（１３）に記載の撮像装置に関する実施形態は、第１乃至第３実施形態が対応する。
【０１１７】
（作用効果）
この（１３）に記載の撮像装置によれば、画像中の被写体毎に低階調から高階調まで、階調分布を均一になるよう分散させることが可能となる。
【０１１８】
（１４）  上記局所的階調補正手段は、画像の局所的な部分毎に上記撮像部により撮像された画像もしくは上記画像記録部に記録された画像を所定の階調領域に補正するゲイン補正を行うことを特徴とする（１２）に記載の撮像装置。
【０１１９】
（対応する実施形態）
この（１４）に記載の撮像装置に関する実施形態は、第１乃至第３実施形態が対応する。
【０１２０】
（作用効果）
この（１４）に記載の撮像装置によれば、処理が簡単なので、高速な処理が可能となる。
【０１２１】
（１５）  上記局所的階調補正手段は、上記表示モード切替手段によって切り替えられた表示モードに応じて、上記局所的な階調補正を行うまたは行わないことを切り替えること特徴とする（１２）乃至（１４）の何れかに記載の撮像装置。
【０１２２】
（対応する実施形態）
この（１５）に記載の撮像装置に関する実施形態は、第３実施形態が対応する。
【０１２３】
（作用効果）
この（１５）に記載の撮像装置によれば、外光が全くない夜景シーンのような表示モードのように、局所的な階調補正を行う必要が無い場合には、それを行わないように切り替えることができる。
【０１２４】
（１６）  上記局所的階調補正手段は、
上記表示モード切替手段によって切り替えられる表示モードそれぞれに応じた上記局所的な階調補正を行うためのパラメータを記憶するパラメータ記憶手段を備え、
上記表示モード切替手段によって切り替えられた表示モードに応じて、上記パラメータ記憶手段に記憶されたパラメータを切り替え使用して、上記撮像部により撮像された画像もしくは上記画像記録部に記録された画像に対して局所的な階調補正を行うことを特徴とする（１２）乃至（１４）の何れかに記載の撮像装置。
【０１２５】
（対応する実施形態）
この（１６）に記載の撮像装置に関する実施形態は、第３実施形態が対応する。その実施形態において、パラメータ記憶部４６が上記パラメータ記憶手段に対応する。
【０１２６】
（作用効果）
この（１６）に記載の撮像装置によれば、表示モードに応じて複数の階調補正を行うためのパラメータを切り替え称することで、例えば、被写体シーンに関してマクロ、ポートレートのアップ画像のように画像中に大きく被写体が写っている場合に比べ、風景画像のような被写体がある程度小さく写っている場合には局所度合いを大きくすることにより、より被写体のコントラストや輪郭を強調することができる。
【０１２７】
（１７）  上記表示モード切替手段は、ユーザが手動により表示モードを切り替えることが可能な表示モード切替操作手段を有することを特徴とする（１２）乃至（１６）の何れかに記載の撮像装置。
【０１２８】
（対応する実施形態）
この（１７）に記載の撮像装置に関する実施形態は、第１乃至第３実施形態が対応する。それらの実施形態において、ユーザＩ／Ｆ１２が上記表示モード切替操作手段に対応する。
【０１２９】
（作用効果）
この（１７）に記載の撮像装置によれば、ユーザが任意に表示モードを設定でき、ユーザの意図を反映することができる。
【０１３０】
（１８）  上記表示モード切替手段は、ユーザが上記表示モード切替操作手段を操作中であるか非操作中であるかに応じて表示モードを切り替えることを特徴とする（１７）に記載の撮像装置。
【０１３１】
（対応する実施形態）
この（１８）に記載の撮像装置に関する実施形態は、第１乃至第３実施形態が対応する。
【０１３２】
（作用効果）
この（１８）に記載の撮像装置によれば、ユーザの操作ミスを低減することができる。
【０１３３】
（１９）  上記表示モード切替手段は、
画像表示を行う際の周囲外光強度を検出する周囲外光検出手段を備え、
上記周囲外光検出手段により検出された外光の強度に応じて表示モードを切り替えることを特徴とする（１２）乃至（１６）の何れかに記載の撮像装置。
【０１３４】
（対応する実施形態）
この（１９）に記載の撮像装置に関する実施形態は、第１乃至第３実施形態が対応する。それらの実施形態において、照度センサ１４が上記周囲外光検出手段に対応する。
【０１３５】
（作用効果）
この（１９）に記載の撮像装置によれば、自動的に表示モードを切り替えることができる。
【０１３６】
（２０）  上記階調変換手段は、上記外光強度が強い表示モードの際は上記外光強度の弱い表示モードの際に比べコントラストを強調するトーンカーブ特性に変換することを特徴とする（１９）に記載の撮像装置。
【０１３７】
（対応する実施形態）
この（２０）に記載の撮像装置に関する実施形態は、第１乃至第３実施形態が対応する。
【０１３８】
（作用効果）
この（２０）に記載の撮像装置によれば、強外光時はコントラストを強調する階調変換を行うことで、強い外光下においても画像ビューワの視認性を向上することが可能になる。
【０１３９】
（２１）  上記階調変換手段は、上記撮像部により撮像された画像もしくは上記画像記録部に記録された画像における明度成分と色度成分とで各々異なるトーンカーブ特性に変換することを特徴とする（１２）乃至（２０）の何れかに記載の撮像装置。
【０１４０】
（対応する実施形態）
この（２１）に記載の撮像装置に関する実施形態は、第２実施形態が対応する。
【０１４１】
（作用効果）
この（２１）に記載の撮像装置によれば、コントラスト強調後の画像の彩度を調整し、屋外における表示色の見栄えを良くすることが可能となる。
【０１４２】
（２２）  上記表示モード切替手段によって切り替えられた表示モードに応じて、その切り替えられた表示モードの種別を表すメッセージを、上記階調変換手段による階調変換処理後の画像上に重畳する表示モードメッセージ重畳手段を更に具備し、
上記表示手段は、上記表示モードメッセージ重畳手段によって上記メッセージが重畳された画像を表示することを特徴とする（１２）乃至（２１）の何れかに記載の撮像装置。
【０１４３】
（対応する実施形態）
この（２２）に記載の撮像装置に関する実施形態は、第１乃至第３実施形態が対応する。それらの実施形態において、表示モードメッセージ重畳部２４が上記表示モードメッセージ重畳手段に対応する。
【０１４４】
（作用効果）
この（２２）に記載の撮像装置によれば、ユーザに表示モードの種別を告知することで、操作ミスによる弱外光時での過度のコントラスト強調による見栄えが悪くなる現象を避けることができる。
【図面の簡単な説明】
【０１４５】
【図１】図１は本発明の第１実施形態に係る画像表示装置の全体構成を示す図である。
【図２】図２（Ａ）は図１中の第１トーンカーブ変換部において行われるトーンカーブ変換の入出力特性を示す図であり、図２（Ｂ）乃至（Ｄ）はそれぞれ図１中の第２トーンカーブ変換部において行われるトーンカーブ変換の入出力特性を示す図である。
【図３】図３（Ａ）は第１実施形態に係る画像表示を用いた本発明の第１実施形態に係る撮像装置としてのデジタルカメラにおけるユーザＩ／Ｆ及び照度センサの配置を示す図であり、図３（Ｂ）は照度センサの構成を示す断面図である。
【図４】図４は図１における表示モードメッセージ重畳部にて重畳される表示モードメッセージの例を示す図である。
【図５】図５（Ａ）は逆光の状態で撮影された入力画像の例を示す図であり、図５（Ｂ）は図５（Ａ）の画像中の被写体領域ａ及びｂに対するヒストグラム分布を表した図であり、図５（Ｃ）は図５（Ｂ）の信号に対して図２（Ｂ）に示すトーンカーブ変換により中間調のコントラスト強調した場合のヒストグラムを示す図であり、図５（Ｄ）は図５（Ｂ）の信号に対して局所的なヒストグラムの平滑化を行った場合のヒストグラムを示す図であり、図５（Ｅ）は図５（Ｄ）の信号に対して図２（Ｂ）に示すトーンカーブ変換により中間調のコントラスト強調した場合のヒストグラムを示す図である。
【図６】図６は本発明の第２実施形態に係る画像表示装置の構成を示す図である。
【図７】図７（Ａ）及び図７（Ｂ）はそれぞれ図６のＹトーンカーブ変換部及びＵ又はＶトーンカーブ変換部において行われるトーンカーブ変換の入出力特性を示す図である。
【図８】図８は本発明の第３実施形態に係る画像表示装置の構成を示す図である。
【図９】図９（Ａ）は各表示モードにおける平滑化パラメータ及びトーンカーブテーブルの例を示す図であり、図９（Ｂ）は図９（Ａ）中のトーンカーブテーブルそれぞれのトーンカーブ形状を示す図である。
【図１０】図１０は第３実施形態に係る画像表示装置を画像ビューワとして用いた撮像装置としてのデジタルカメラの構成を示す図である。
【符号の説明】
【０１４６】
１０，３２，４０…画像表示装置、  １２…ユーザＩ／Ｆ、  １２Ａ…表示モード選択ボタン、  １４…照度センサ、  １４Ａ…フォトダイオード、  １４Ｂ…拡散板、  １４Ｃ…遮光部、  １６…表示モード切替部、  １８…局所的ヒストグラム平滑部、  ２０…第１トーンカーブ変換部、  ２２…第２トーンカーブ変換部、  ２４…表示モードメッセージ重畳部、  ２６…画像表示部、  ２６Ａ…画像表示面、  ２８，５４…デジタルカメラ、  ３０…表示モードメッセージ、  ３４…第１色空間変換部、  ３６Ｙ…Ｙトーンカーブ変換部、  ３６Ｕ…Ｕトーンカーブ変換部、  ３６Ｖ…Ｖトーンカーブ変換部、  ３８…第２色空間変換部、  ４２…表示モード選択部、  ４４…平滑化パラメータ選択部、  ４６…パラメータ記憶部、  ４８…トーンカーブテーブル選択部、  ５０…トーンカーブテーブル記憶部、  ５２…トーンカーブ変換部、  ５６…光学レンズ、  ５８…撮像素子、  ６０…撮像処理部、  ６２…画像記録部、  ６４…ライブ／再生切替部、  ａ，ｂ…被写体領域。
【図１】
2009017306.tif 000010
【図２】
2009017306.tif 000011
【図３】
2009017306.tif 000012
【図４】
2009017306.tif 000013
【図５】
2009017306.tif 000014
【図６】
2009017306.tif 000015
【図７】
2009017306.tif 000016
【図８】
2009017306.tif 000017
【図９】
2009017306.tif 000018
【図１０】
2009017306.tif 000019